(57)【要約】【課題】使用者に対してプローブヘッドを移動させる適切な速度の目安を報知することで、超音波の照射による肌ケアを常時確実に行うことができる超音波美容装置を提供する。【解決手段】超音波振動を発生する超音波振動部１と、超音波振動部１で発生した超音波を使用者の肌に照射するプローブヘッド２と、使用者に報知する報知部３と、を有し、超音波振動部１および報知部３を制御する制御部４を備え、制御部４は、所定の周期で報知部３を駆動するようにした。【選択図】図２
2008194401.tif 000002
【特許請求の範囲】
【請求項１】
超音波振動を発生する超音波振動部と、超音波振動部で発生した超音波を使用者の肌に照射するプローブヘッドと、使用者に報知する報知部と、を有し、超音波振動部および報知部を制御する制御部を備え、制御部は、所定の周期で報知部を駆動するようになしたことを特徴とする超音波美容装置。
【請求項２】
制御部は、所定の等しい時間が経過する毎に、報知部を駆動するように制御するものであることを特徴とする請求項１記載の超音波美容装置。
【請求項３】
制御部は、少なくとも報知部の出力または周波数または駆動時間を所定の周期で変更するように制御するものであることを特徴とする請求項１または２記載の超音波美容装置。
【請求項４】
使用者が把持する把持部が形成されたハウジングの長手方向の一方の側部に、プローブヘッドが設けられており、報知部は音を出力する音出力部を備え、報知部は、ハウジングの把持部以外であって、プローブヘッドが設けられている側に配置されることを特徴とする請求項１から３のいずれか１項に記載の超音波美容装置。
【発明の詳細な説明】
【技術分野】
【０００１】
本願発明は、発生した超音波を使用者の肌に伝達して、使用者の肌をケアする超音波美容装置に関するものである。
【背景技術】
【０００２】
超音波により使用者の肌ケアを行う超音波美容装置においては、ハウジングの長手方向の一方の側部に、プローブヘッドが設けられており、このプローブヘッドに接続され、超音波振動を発生する超音波振動部において発生した超音波振動が、前記プローブヘッドを介して使用者の肌に照射されるようにしている。
【０００３】
使用者は、ハウジングに形成された把持部を把持して、プローブヘッドを肌に接触させるとともに任意の速度で移動させることで、プローブヘッドより照射された超音波にる肌ケアをおこなうことができる。
【０００４】
上記超音波美容装置には、ランプの点灯や音によって使用者に報知を行う報知部と、この報知部および上記超音波振動部を制御する制御部が設けられており、さらにプローブヘッドには、プローブヘッドの移動を検知する検知部が配置されていて、例えば、プローブヘッドが使用者の肌に対して静止した際に、使用者の肌に局所的に超音波が照射されることを防止するため、上記制御部が報知部を駆動して、使用者に対してプローブヘッドの静止を報知している。
【特許文献１】特開平１０−２６３０３９号公報
【発明の開示】
【発明が解決しようとする課題】
【０００５】
しかしながら、前記背景技術の特許文献１に記載の超音波美容装置においては、使用者の肌に対してプローブヘッドを移動させる速度は、使用者によって異なることが多い。また、肌の表面の形状はほとんどが曲面であるために、例えば、プローブヘッドを移動させる速度が速い場合は、プローブヘッドの肌接触面と肌面との間に隙間が生じてしまい、このため、プローブヘッドから照射される超音波が肌に伝達されず、十分な肌ケアを行うことが困難になることがあった。
【０００６】
本願発明はこのような上記背景技術の課題を解決するものであり、使用者に対してプローブヘッドを移動させる適切な速度の目安を報知することで、超音波の照射による肌ケアを常時確実に行うことができる超音波美容装置を提供することを目的とする。
【課題を解決するための手段】
【０００７】
上記課題を解決するために、本願発明は、超音波振動を発生する超音波振動部と、超音波振動部で発生した超音波を使用者の肌に照射するプローブヘッドと、使用者に報知する報知部と、を有し、超音波振動部および報知部を制御する制御部を備え、制御部は、所定の周期で報知部を駆動するようになしたことを特徴としている。
【０００８】
また、制御部は、所定の等しい時間が経過する毎に、報知部を駆動するようにしてもよい。
【０００９】
また、制御部は、少なくとも報知部の出力または周波数または駆動時間を所定の周期で変更するように制御してもよい。
【００１０】
さらに、使用者が把持する把持部が形成されたハウジングの長手方向の一方の側部に、プローブヘッドが設けられており、報知部は音を出力する音出力部を備え、報知部は、ハウジングの把持部以外であって、プローブヘッドが設けられている側に配置してもよい。
【発明の効果】
【００１１】
本願発明においては、制御部が所定の周期で報知部を駆動することで、使用者に対してプローブヘッドを移動させる適切な速度の目安を報知することで、超音波の照射による肌ケアを常時確実に行うことができる超音波美容装置を提供できる。
【００１２】
また、制御部が報知部を駆動する周期を、所定の等しい時間が経過する毎に設定することで、プローブヘッドを移動させる速度の目安を、より分かりやすく使用者に報知することができる。
【００１３】
また、制御部が、少なくとも報知部の出力または周波数または駆動時間を所定の周期で変更することで、例えば、プローブヘッドを移動させる速度の目安以外に、超音波美容装置の使用時間等についても、使用者に報知することができる。
【００１４】
さらに、音による報知を行う場合に、報知部をハウジングの把持部以外であって、プローブヘッドが設けられている側に配置することで、報知音を常時確実に使用者に対して伝えることができる。
【発明を実施するための最良の形態】
【００１５】
図１から３は、本願発明の第１の実施形態である超音波美容装置を示している。この超音波美容装置は、図１から３に示すように、超音波振動を発生する超音波振動部１と、超音波振動部１で発生した超音波を使用者の肌に照射するプローブヘッド２と、使用者に報知する報知部３と、を有し、超音波振動部１および報知部３を制御する制御部４を備え、制御部４は、所定の周期で報知部３を駆動している。
【００１６】
また、この超音波美容装置においては、使用者が把持する把持部５が形成されたハウジング６の長手方向の一方の側部に、プローブヘッド２が設けられており、報知部３は音を出力する音出力部７を備え、報知部３は、ハウジング６の把持部５以外であって、プローブヘッド２が設けられている側に配置されている。
【００１７】
以下、この実施形態の美容装置を、より具体的詳細に説明する。図１から３に示すように、超音波美容装置のハウジング６があり、このハウジング６の長手方向の上側の側部には、超音波振動を発生する超音波振動部１が裏面に設けられ、超音波振動部１において発生した超音波振動を、使用者の肌に照射する肌接触面８が設けられている。
【００１８】
ハウジング６の中央部には、使用者が把持するための把持部５が形成されており、前記把持部５の下側であってハウジング６内には、使用者に対して報知を行う報知部３が配置されていて、この報知部３のプローブヘッド２側には、音を出力する音出力部７が配置されている。
【００１９】
また、音出力部７の上側には、超音波振動部１および報知部３を制御する制御部４が設けられており、この制御部４のプローブヘッド２側には、超音波美容装置の駆動または停止を行うスイッチ９が設けられている。
【００２０】
以上の構成において、本願発明の第１の実施形態における超音波美容装置の動作を図１から７を用いて説明する。
【００２１】
使用者が、ハウジング６に形成された把持部５を把持してスイッチ９をオンにすると、ハウジング６内に設けられた制御部４が、超音波振動部１を駆動する。ここで、スイッチ９がオンにされると、図４に示すように制御部４は報知部３を駆動可能にする。
【００２２】
次に使用者は、ハウジング６の長手方向の上側の側部に設けられたプローブヘッド２の肌接触面８を、ケアを行う肌に接触させるとともに、肌面に沿って肌接触面８を移動させる。
【００２３】
このとき、制御部４は、スイッチ９のオンにより駆動可能にされた報知部３を、図５に示すように、３秒経過後および５秒経過後を一つの周期として、前記各々の時間が経過したときに駆動し、報知部３の音出力部７より音を出力して、使用者に対して報知を行っている。
【００２４】
使用者は、例えば顔面の肌をケアする場合に、肌接触面８の移動距離の長いあご先から耳の下については、５秒の間に肌接触面８を移動させ、目の下のように移動距離のみじか部分については、３秒の間に肌接触面８を移動させるようにできる。
【００２５】
また、図６に示すように、３秒経過後の報知音を５秒経過後の報知音に対して、駆動時間を短くするとともに、駆動回数を増加したり、図７に示すように、３秒経過後の報知音を５秒経過後の報知音に対して、報知音の出力または周波数を高くすることで、使用者に対して、３秒経過後または５秒経過後を確実に報知することができる。
【００２６】
使用者がスイッチ９をオフにすると、超音波振動部１および報知部３が停止され、超音波美容装置の運転が終了する。
【００２７】
以上のように本願発明の第１の実施形態によれば、制御部４が３秒経過後および５秒経過後を一つのサイクルとした周期で報知部３を駆動することで、ケアを行う肌の部位に対して、プローブヘッド２を移動させる適切な速度の目安を使用者に報知することで、超音波の照射による肌ケアを常時確実に行うことができる超音波美容装置を提供することができる。
【００２８】
また、３秒経過後の報知音を５秒経過後の報知音に対して、駆動時間を短くするとともに駆動回数を増加したり、３秒経過後の報知音を５秒経過後の報知音に対して、報知音の出力または周波数を高くすることで、使用者に対して、３秒経過後または５秒経過後を、より確実に報知することができる。
【００２９】
図８から１０は、本願発明の第２の実施形態である超音波美容装置を示している。ここでは、上記第１の実施形態と相違する事項についてのみ説明し、同様の構成や作用効果等を有するものについては、上記第１の実施形態の説明を援用する。
【００３０】
本願発明の第２の実施形態が上記第１の実施形態と異なる部分は、図８から１０に示すように、プローブヘッド２の側部に、使用者の肌との接触を検知する検知部１０が設けられているところである。ここで上記検知部１０は、例えば電極式や機械式の検知部１０が用いられている。
【００３１】
上記差異をふまえて、本願発明の第２の実施形態における美容装置の動作について、図８から１０を用いて説明する。
【００３２】
使用者が、ハウジング６に形成された把持部５を把持してスイッチ９をオンにした際、プローブヘッド２の肌接触面８が肌に接触されているときは、プローブヘッド２の側部に設けられた検知部１０が肌との接触を検知して、ハウジング６内に設けられた制御部４が、超音波振動部１を駆動するとともに、図９に示すように制御部４は報知部３を駆動可能にする。
【００３３】
このとき、プローブヘッド２の肌接触面８が肌に接触されていないときは、検知部１０が肌との接触を検知しないために、制御部４は超音波振動部１を駆動せず、また報知部３も駆動可能にされない。
【００３４】
次に使用者は、ハウジング６の長手方向の上側の側部に設けられたプローブヘッド２の肌接触面８を、ケアを行う肌に接触させるとともに、肌面に沿って肌接触面８を移動させるが、このとき、図１０に示すように、肌接触面８が肌から離れた場合は、制御部４は報知部３を駆動不可とする。ここで、同時に超音波振動部１を停止させてもよい。
【００３５】
また、肌接触面８が再び肌に接触された際は、制御部４は報知部３を駆動可能にする。また、超音波振動部１が停止されているときは、制御部４が超音波振動部１を駆動する。以後の動作は、本願発明の第１の実施形態と同様である。
【００３６】
以上のように本願発明の第２の実施形態によれば、検知部１０が、プローブヘッド２の肌接触面８と肌とが接触しているときのみ、制御部４は報知部３を駆動可能にし、または、報知部３を駆動可能にするとともに、超音波振動部１を駆動することで、肌ケアを行っているときのみ報知を行うことができるとともに、消費電力を低減することができる。
【００３７】
図１、２および図１１から１７は、本願発明の第３の実施形態である美容装置を示している。ここでは、上記第１の実施形態と相違する事項についてのみ説明し、同様の構成や作用効果等を有するものについては、上記第１の実施形態の説明を援用する。
【００３８】
本願発明の第３の実施形態が上記第１の実施形態と異なる部分は、図１１から１７に示すように、制御部４が、所定の等しい時間が経過する毎に報知部３を駆動する、すなわち、報知が等時間間隔で行われているところである。
【００３９】
上記差異をふまえて、本願発明の第３の実施形態における美容装置の動作について、図１、２および図１１から１７を用いて説明する。
【００４０】
使用者が、ハウジング６に形成された把持部５を把持してスイッチ９をオンにすると、ハウジング６内に設けられた制御部４が、超音波振動部１を駆動する。ここで、スイッチ９がオンにされると、図４に示すように制御部４は報知部３を駆動可能にする。
【００４１】
次に使用者は、ハウジング６の長手方向の上側の側部に設けられたプローブヘッド２の肌接触面８を、ケアを行う肌に接触させるとともに、肌面に沿って肌接触面８を移動させる。
【００４２】
このとき、制御部４は、スイッチ９のオンにより駆動可能にされた報知部３を、図１１に示すように、所定の等しい時間が経過する毎に駆動し、報知部３の音出力部７より音を出力して、使用者に対して報知を行っている。ここで、報知を行う時間間隔としては、時間間隔が長すぎると、使用者がタイミングを取りにくいことや、逆に短すぎると報知に追従することが困難になることを考慮すると、１から２秒であることが好ましい。
【００４３】
また、報知音が毎回同じ音である場合に、使用者が何秒目の報知音であるかを把握することが困難になることがあるために、例えば１秒間隔で報知する際に、図１２から１４に示すように５秒毎に、報知音の出力や周波数、または回数や長さを変更するようにしてもよい。
【００４４】
また、図１５に示すように、報知を行う度毎に、報知音の出力や周波数を変更するようにしてもよく、さらに音の種類の変更を組み合わせるようにしてもよい。
【００４５】
そして、図１６、１７に示すように、例えば、肌面に沿って肌接触面８を移動させた後に、いったん移動を停止させてから肌から離すような場合に、報知を行う度毎に報知音の出力や周波数を変更するとともに、５秒毎に回数や長さを変更するようにしてもよい。
【００４６】
以上のように本願発明の第３の実施形態によれば、制御部４が、所定の等しい時間が経過する毎に報知部３を駆動することにより、肌面に沿って肌接触面８を移動する速度の目安を、より分かりやすく使用者に報知することができる。
【００４７】
なお、上記本願発明の実施形態においては、報知部３をハウジング６内であって、ハウジング６に設けられた把持部５の下側に配置したが、図１８に示すように、把持部５の上側に配置するようにしてもよい。
【００４８】
また、報知部３は音による報知を行うようにしているが、音の代わりに、例えば図１９に示すように、ハウジング６の長手方向の一方の側部であって、プローブヘッド２の反対側にＬＥＤ１１を設け、このＬＥＤ１１の点灯により報知するようにしてもよい。
【００４９】
また、ハウジング６内に配置された報知部３の音出力部７から出力される報知音が使用者に聞こえやすいようにするため、図２０に示すように、ハウジング６に穴１２を形成した場合に、この穴１２から水等が浸入することを防止するために、例えば図２１、２２に示すように、穴１２の外側にシール１３を設けたり、穴１２が形成されているハウジング６の表面に薄いパネルを設けるようにしてもよい。
【図面の簡単な説明】
【００５０】
【図１】本願発明の第１の実施形態である美容装置の側面図。
【図２】同美容装置の断面図。
【図３】同美容装置の使用状態を示す側面図。
【図４】同美容装置の報知部の駆動状態を示す特性図。
【図５】同美容装置の報知部の報知パターンを示す特性図。
【図６】同美容装置の報知部の報知パターンを示す特性図。
【図７】同美容装置の報知部の報知パターンを示す特性図。
【図８】本願発明の第２の実施形態である美容装置の断面図。
【図９】本願発明の第５の実施形態である美容装置の斜視図。
【図１０】同美容装置の報知部の駆動状態を示す特性図。
【図１１】同美容装置の報知部の報知パターンを示す特性図。
【図１２】同美容装置の報知部の報知パターンを示す特性図。
【図１３】同美容装置の報知部の報知パターンを示す特性図。
【図１４】同美容装置の報知部の報知パターンを示す特性図。
【図１５】同美容装置の報知部の報知パターンを示す特性図。
【図１６】同美容装置の報知部の報知パターンを示す特性図。
【図１７】同美容装置の報知部の報知パターンを示す特性図。
【図１８】本願発明の他の実施形態である美容装置の断面図。
【図１９】同美容装置の側面図。
【図２０】同美容装置の要部断面図。
【図２１】同美容装置の要部断面図。
【図２２】同美容装置の要部断面図。
【符号の説明】
【００５１】
１  ハウジング
２  スチーム
３  吐出口
４  棒状部材（規制手段）
６  表示ランプ（報知手段）
７  顎部載置台（規制手段）
１１  光照射部（規制手段）
１４  超音波送受信部（規制手段）
【図１】
2008194401.tif 000003
【図２】
2008194401.tif 000004
【図３】
2008194401.tif 000005
【図４】
2008194401.tif 000006
【図５】
2008194401.tif 000007
【図６】
2008194401.tif 000008
【図７】
2008194401.tif 000009
【図８】
2008194401.tif 000010
【図９】
2008194401.tif 000011
【図１０】
2008194401.tif 000012
【図１１】
2008194401.tif 000013
【図１２】
2008194401.tif 000014
【図１３】
2008194401.tif 000015
【図１４】
2008194401.tif 000016
【図１５】
2008194401.tif 000017
【図１６】
2008194401.tif 000018
【図１７】
2008194401.tif 000019
【図１８】
2008194401.tif 000020
【図１９】
2008194401.tif 000021
【図２０】
2008194401.tif 000022
【図２１】
2008194401.tif 000023
【図２２】
2008194401.tif 000024